(57)【要約】      （修正有）【課題】ノズル部の伸縮機構や折畳機構の故障ないし破損を懸念する必要がない携帯式局部洗浄器及び携帯式局部洗浄器セットを提供する。【解決手段】携帯式局部洗浄器１０は、ノズル部１１と、本体部１２と、カバータンク１３と、本体部１２に充填される洗浄液をノズル部１１の噴出孔１１ａから噴出させる噴出機構と、を備える。ノズル部１１は、本体部１２の一方の端部１２ａに固着されている。カバータンク１３は、洗浄器１０の携帯時においてノズル部１１を覆うノズルケースとして機能する一方、洗浄器１０の使用時において本体部１２のノズル部１１と反対側の端部１２ｂに着脱可能に取り付けられて洗浄液を貯留する洗浄液タンクとして機能する。携帯式局部洗浄器セットは、携帯式局部洗浄器１０と、機能式洗浄液と、を備える。【選択図】図５
0003186450.tif 000002
【実用新案登録請求の範囲】
【請求項１】
ノズル部と、本体部と、有底筒状部と、前記本体部に充填される洗浄液を前記ノズル部の噴出孔から噴出させる噴出機構と、を備える携帯式局部洗浄器であって、
前記ノズル部は、前記本体部の一方の端部に固着されており、
前記有底筒状部は、前記洗浄器の携帯時において前記ノズル部を覆うカバーとして機能する一方、前記洗浄器の使用時において前記本体部の前記ノズル部と反対側の端部に着脱可能に取り付けられて洗浄液を貯留するタンクとして機能するものである、
携帯式局部洗浄器。
【請求項２】
請求項１に記載の携帯式局部洗浄器と、機能式洗浄液と、を備える、携帯式局部洗浄器セット。
【請求項３】
前記機能式洗浄液は、局部を洗浄するための局部洗浄液である、請求項２に記載の携帯式局部洗浄器セット。
【請求項４】
前記局部洗浄液は、硬度６０未満の軟水である、請求項３に記載の携帯式局部洗浄器セット。
【請求項５】
前記局部洗浄液は、硬度６０以上１２０未満の中軟水である、請求項３に記載の携帯式局部洗浄器セット。
【請求項６】
前記局部洗浄液は、消毒剤、抗菌剤又は除菌剤を含む、請求項３から５の何れか一項に記載の携帯式局部洗浄器セット。
【請求項７】
前記消毒剤は、消毒用アルコールである、請求項６に記載の携帯式局部洗浄器セット。
【請求項８】
前記局部洗浄液は、芳香剤を含む、請求項３から７の何れか一項に記載の携帯式局部洗浄器セット。
【請求項９】
前記局部洗浄液は、局部洗浄液用容器に充填されている、請求項３から８の何れか一項に記載の携帯式局部洗浄器セット。
【請求項１０】
前記局部洗浄液用容器は、使い捨て可能である、請求項９に記載の携帯式局部洗浄器セット。
【請求項１１】
前記機能式洗浄液は、前記携帯式局部洗浄器の前記ノズル部を洗浄するためのノズル洗浄液である、請求項２に記載の携帯式局部洗浄器セット。
【請求項１２】
前記ノズル洗浄液は、消毒剤、抗菌剤又は除菌剤を含む、請求項１１に記載の携帯式局部洗浄器セット。
【請求項１３】
前記消毒剤は、消毒用アルコールである、請求項１２に記載の携帯式局部洗浄器セット。
【請求項１４】
前記ノズル洗浄液は、芳香剤を含む、請求項１１から１３の何れか一項に記載の携帯式局部洗浄器セット。
【請求項１５】
前記ノズル洗浄液は、ノズル洗浄液用容器に充填されている、請求項１１から１４の何れか一項に記載の携帯式局部洗浄器セット。
【請求項１６】
前記ノズル洗浄液用容器は、使い捨て可能である、請求項１５に記載の携帯式局部洗浄器セット。
【請求項１７】
前記機能式洗浄液は、局部を洗浄するための局部洗浄液と、前記携帯式局部洗浄器の前記ノズル部を洗浄するためのノズル洗浄液と、の双方を含む、請求項２に記載の携帯式局部洗浄器セット。
【考案の詳細な説明】
【技術分野】
【０００１】
本考案は、携帯式局部洗浄器及び携帯式局部洗浄器セットに関する。
【背景技術】
【０００２】
従来より、外出先に携帯して人体の局部（肛門、性器、口腔、鼻腔等）を洗浄するための洗浄装置が種々提案され、実用化されている。例えば、現在においては、洗浄液を貯留するためのタンク部と、ノズル部が取り付けられた本体部と、を備え、タンク部から供給され本体部に充填された洗浄液をノズル部の噴出孔から噴出するように構成された携帯式局部洗浄器が提案されている。
【０００３】
さらに近年においては、洗浄器を小型化して携帯性を向上させる目的で、ノズルを本体部に対して伸縮自在又は折畳み自在に構成した携帯式局部洗浄器が提案されている（特許文献１及び２参照）。
【先行技術文献】
【特許文献】
【０００４】
【特許文献１】特許第３２１４５９０号公報
【特許文献２】特許第３４８８３５６号公報
【考案の概要】
【考案が解決しようとする課題】
【０００５】
ところで、携帯式局部洗浄器は、外出先の様々な状況で使用されるものであるため、本体部から突出させたノズル部に比較的強い外力が作用する場合がある。従来の伸縮式・折畳式ノズル部を有する携帯式局部洗浄器にこのような比較的強い外力が作用すると、伸縮機構や折畳機構が故障ないし破損してしまい、もはやノズル部が使用不能になってしまう可能性があった。
【０００６】
本考案は、かかる事情に鑑みてなされたものであり、ノズル部の伸縮機構や折畳機構の不測の故障ないし破損を懸念する必要がない携帯式局部洗浄器及び携帯式局部洗浄器セットを提供することを目的とする。
【課題を解決するための手段】
【０００７】
前記目的を達成するため、本考案に係る携帯式局部洗浄器は、ノズル部と、本体部と、有底筒状部と、本体部に充填される洗浄液をノズル部の噴出孔から噴出させる噴出機構と、を備えるものであり、ノズル部は、本体部の一方の端部に固着されており、有底筒状部は、洗浄器の携帯時においてノズル部を覆うカバーとして機能する一方、洗浄器の使用時において本体部のノズル部と反対側の端部に着脱可能に取り付けられて洗浄液を貯留するタンクとして機能するものである。
【０００８】
かかる構成を採用すると、ノズル部が本体部の一方の端部に固着されており、伸縮機構や折畳機構を有しないため、伸縮機構や折畳機構の不測の故障ないし破損を懸念する必要がなくなる。また、携帯式局部洗浄器の携帯時においては、有底筒状部をカバーとして機能させることができるので、携帯時におけるノズル部の破損を防止することができる。さらに、携帯式局部洗浄器の使用時においては、有底筒状部を本体部のノズル部と反対側の端部に取り付けることにより、本体部の長さに有底筒状部の長さが加えられるため、使用者が携帯式局部洗浄器を把持し易くなる、という利点を有する。
【０００９】
また、本考案に係る携帯式局部洗浄器セットは、前記携帯式局部洗浄器と、機能式洗浄液と、を備えるものである。機能式洗浄液としては、局部を洗浄するための局部洗浄液を採用することができる。
【００１０】
かかる構成を採用すると、携帯式局部洗浄器とともに局部洗浄液を予め備えているため、例えば水道設備が全く存在しないために局部洗浄用の水の供給が期待できないような環境下や水道設備の衛生状態が充分でないために供給される水が局部洗浄に適さないような環境下においても、携帯式局部洗浄器の本体部（有底筒状部）に局部洗浄液を充填して逸早く使用に供することができる。従って、本考案に係る携帯式局部洗浄器セットは、多様な環境における局部の洗浄に好適に使用することができる。
【００１１】
局部洗浄液としては、硬度６０未満の軟水や硬度６０以上１２０未満の中軟水を採用することができる。また、消毒剤、抗菌剤又は除菌剤を含む局部洗浄液や、芳香剤を含む局部洗浄液を採用することもできる。局部洗浄液は、局部洗浄液用容器に充填されていることが好ましい。使い捨て可能な局部洗浄液用容器を採用することもできる。
【００１２】
本考案に係る携帯式局部洗浄器セットの機能式洗浄液として、携帯式局部洗浄器のノズル部を洗浄するためのノズル洗浄液を採用することもできる。
【００１３】
かかる構成を採用すると、ノズル洗浄液を予め備えているため、携帯式局部洗浄器を使用した後にノズル洗浄液でノズル部を逸早く洗浄することができ、ノズル部を清潔に保つことができる。
【００１４】
ノズル洗浄液としては、消毒剤、抗菌剤又は除菌剤を含むものや、芳香剤を含むものを採用することもできる。ノズル洗浄液は、ノズル洗浄液用容器に充填されていることが好ましい。使い捨て可能なノズル洗浄液用容器を採用することもできる。
【００１５】
本考案に係る携帯式局部洗浄器セットの機能式洗浄液として、携帯式局部洗浄器の本体部に充填される局部洗浄液と、携帯式局部洗浄器のノズル部を洗浄するためのノズル洗浄液と、の双方を採用することもできる。
【００１６】
かかる構成を採用すると、携帯式局部洗浄器とともに局部洗浄液を予め備えているため、例えば水道設備が全く存在しないために局部洗浄用の水の供給が期待できないような環境下や水道設備の衛生状態が充分でないために供給される水が局部洗浄に適さないような環境下においても、携帯式局部洗浄器の有底筒状部（本体部）に局部洗浄液を充填して逸早く使用に供することができる。従って、本考案に係る携帯式局部洗浄器セットは、多様な環境における局部の洗浄に好適に使用することができる。また、ノズル洗浄液を予め備えているため、携帯式局部洗浄器を使用した後に、ノズル洗浄液でノズル部を逸早く洗浄することができ、ノズル部を清潔に保つことができる。
【考案の効果】
【００１７】
本考案によれば、ノズル部の伸縮機構や折畳機構の不測の故障ないし破損を懸念する必要がない携帯式局部洗浄器及び携帯式局部洗浄器セットを提供することが可能となる。
【図面の簡単な説明】
【００１８】
【図１】本考案の実施形態に係る携帯式局部洗浄器セットの構成図であり、（Ａ）は携帯式局部洗浄器（ノズル部収納時）の正面図、（Ｂ）はノズル洗浄液が充填されたノズル洗浄液用容器の概略図、（Ｃ）は局部洗浄液が充填された局部洗浄液用容器の概略図、である。
【図２】本考案の実施形態に係る携帯式局部洗浄器（ノズル部収納時）の側面図である。
【図３】本考案の実施形態に係る携帯式局部洗浄器（ノズル部収納時）の上面図（図２に示す携帯式局部洗浄器を矢印IIIの方向から見た図）である。
【図４】本考案の実施形態に係る携帯式局部洗浄器（ノズル部収納時）の下面図（図２に示す携帯式局部洗浄器を矢印IVの方向から見た図）である。
【図５】本考案の実施形態に係る携帯式局部洗浄器（ノズル部露出時）の正面図である。
【図６】本考案の実施形態に係る携帯式局部洗浄器（ノズル部露出時）の側面図である。
【図７】本考案の実施形態に係る携帯式局部洗浄器（ノズル部露出時）の上面図（図６に示す携帯式局部洗浄器を矢印VIの方向から見た図）である。
【図８】本考案の実施形態に係る携帯式局部洗浄器（ノズル部露出時）の下面図（図６に示す携帯式局部洗浄器を矢印VIIの方向から見た図）である。
【考案を実施するための形態】
【００１９】
以下、図面を参照して、本考案の実施形態について説明する。
【００２０】
まず、図１〜図８を用いて、本実施形態に係る携帯式局部洗浄器セット１の構成について説明する。携帯式局部洗浄器セット１は、携帯式局部洗浄器１０と、機能式洗浄液と、を備えている。本実施形態においては、機能式洗浄液として、局部の洗浄に使用される局部洗浄液２０と、携帯式局部洗浄器１０のノズル部１１（後述）を洗浄するためのノズル洗浄液３０と、を採用している。
【００２１】
携帯式局部洗浄器１０は、図５に示すように、ノズル部１１と、本体部１２と、カバータンク１３と、本体部１２に充填される洗浄液をノズル部１１の噴出孔１１ａから噴出させる（図示していない）噴出機構と、を備えるものである。
【００２２】
携帯式局部洗浄器１０のノズル部１１は、図５に示すように、本体部１２の一方の端部１２ａに固着されており、本体部１２と一体的になっている。カバータンク１３は、本考案における有底筒状部に相当するものであり、図１及び図５に示すように、長尺円筒部１３ａと、底部１３ｂと、を有している。カバータンク１３は、携帯式局部洗浄器１０の携帯時においては、図１に示すように、本体部１２のノズル部１１側の端部１２ａ近傍に着脱可能に取り付けられてノズル部１１を覆うカバーとして機能する。一方、カバータンク１３は、携帯式局部洗浄器１０の使用時においては、図５に示すように、本体部１２のノズル部１１と反対側の端部１２ｂに着脱可能に取り付けられて局部洗浄液２０を貯留するタンクとして機能する。
【００２３】
本体部１２は、図３に示すように、カバータンク１３に貯留した局部洗浄液２０を本体部１２の内部に流通させるための洗浄液流路１２ｃを有している。局部洗浄液２０は、洗浄液流路１２ｃを経由してカバータンク１３から本体部１２の内部に流入することとなる。本体部１２の内部に設けられた噴出機構は、局部洗浄液２０をノズル部１１の噴出孔１１ａに流通させる流路、局部洗浄液２０を噴出孔１１ａに向けて圧送するためのモータ、モータを駆動する電力を供給するバッテリ、等から構成されている。本体部１２に設けられたスイッチ１２ｄを押圧すると、バッテリの電力によりモータが駆動して局部洗浄液２０を噴出孔１１ａに向けて圧送し、局部洗浄液２０が噴出孔１１ａから噴出するようになっている。
【００２４】
局部洗浄液２０は、携帯式局部洗浄器１０のカバータンク１３や本体部１２に充填され、ノズル部１１の噴出孔１１ａから噴出されることにより、人体の局部（肛門、性器、口腔、鼻腔等）の洗浄に供されるものである。本実施形態においては、硬度６０未満の軟水に消毒剤（例えば消毒用アルコール）及び芳香剤を含有させた局部洗浄液２０を採用している。なお、軟水に代えて、硬度６０以上１２０未満の中軟水を採用してもよい。また、消毒剤に代えて、抗菌剤や除菌剤を採用することもできる。
【００２５】
ノズル洗浄液３０は、携帯式局部洗浄器１０のノズル部１１の洗浄に供されるものである。本実施形態においては、芳香剤を含有させた消毒用アルコール（エタノール又はイソプロパノール）をノズル洗浄液３０として採用している。なお、消毒用アルコールに代えて、水道水に抗菌剤や除菌剤を含有させたものをノズル洗浄液３０として採用することもできる。
【００２６】
局部洗浄液２０及びノズル洗浄液３０は、図１に示すように、各々、専用の容器（局部洗浄液用容器２１及びノズル洗浄液用容器３１）に充填されている。これら専用の容器は、比較的安価な合成樹脂で製作されており、使い捨て可能となっている。
【００２７】
次に、本実施形態に係る携帯式局部洗浄器セット１の使用方法について説明する。
【００２８】
＜携帯時＞
使用者は、携帯式局部洗浄器セット１を携帯する際には、携帯式局部洗浄器１０と、局部洗浄液２０が充填された局部洗浄液用容器２１と、ノズル洗浄液３０が充填されたノズル洗浄液用容器３１と、をまとめて所定の布袋等に収納して携帯することができる。この際、図１に示すように、携帯式局部洗浄器１０のノズル部１１をカバータンク１３で覆うようにする。
【００２９】
＜使用時＞
携帯式局部洗浄器セット１を使用する際には、まず、使用者は、所定の布袋等から携帯式局部洗浄器１０及び局部洗浄液用容器２１を取り出し、図５に示すように、携帯式局部洗浄器１０のカバータンク１３を外してノズル部１１を露出させる。次いで、使用者は、カバータンク１３の内部に局部洗浄液２０を充填した後、カバータンク１３を本体部１２のノズル部１１と反対側の端部１２ｂに取り付ける。続いて、使用者は、携帯式局部洗浄器１０を傾けることにより、カバータンク１３に貯留された局部洗浄液２０を、洗浄液流路１２ｃを経由させて本体部１２に供給し、本体部１２に充填する。その後、使用者は、携帯式局部洗浄器１０のノズル部１１の噴出孔１１ａを局部付近に配置し、本体部１２に設けられたスイッチ１２ｄを押圧することにより、本体部１２に充填された局部洗浄液２０を噴出孔１１ａから噴出して局部を洗浄する。
【００３０】
以上説明した実施形態に係る携帯式局部洗浄器１０においては、ノズル部１１が本体部１２の一方の端部１２ａに固着されており、伸縮機構や折畳機構を有しないため、伸縮機構や折畳機構の不測の故障ないし破損を懸念する必要がなくなる。また、携帯式局部洗浄器１０の携帯時においては、カバータンク１３をカバーとして機能させることができるので、携帯時におけるノズル部１１の破損を防止することができる。さらに、携帯式局部洗浄器１０の使用時においては、カバータンク１３を本体部１２のノズル部１１と反対側の端部１２ｂに取り付けることにより、本体部１２の長さにカバータンク１３の長さが加えられるため、使用者は携帯式局部洗浄器１０を把持し易くなる。
【００３１】
また、以上説明した実施形態に係る携帯式局部洗浄器セット１は、携帯式局部洗浄器１０とともに局部洗浄液２０を予め備えているため、例えば水道設備が全く存在しないために局部洗浄用の水の供給が期待できないような環境下や水道設備の衛生状態が充分でないために供給される水が局部洗浄に適さないような環境下においても、携帯式局部洗浄器１０のカバータンク１３（本体部１２）に局部洗浄液２０を充填して逸早く使用に供することができる。従って、携帯式局部洗浄器セット１は、多様な環境における局部の洗浄に好適に使用することができる。
【００３２】
また、以上説明した実施形態に係る携帯式局部洗浄器セット１は、ノズル洗浄液３０を予め備えているため、携帯式局部洗浄器１０を使用した後に、ノズル洗浄液３０でノズル部１１を逸早く洗浄することができ、ノズル部１１を清潔に保つことができる。
【００３３】
なお、以上説明した実施形態においては、円筒形状を呈する携帯式局部洗浄器１０を採用した例を示したが、携帯式局部洗浄器の形状はこれに限られるものではない。例えば、断面楕円形の筒形状、断面矩形の筒形状、断面三角形の筒形状等を呈する携帯式局部洗浄器を採用してもよい。
【００３４】
また、以上説明した実施形態においては、局部洗浄液２０及びノズル洗浄液３０の双方を備える携帯式局部洗浄器セット１を例示したが、局部洗浄液２０及びノズル洗浄液３０の何れか一方のみを備えるものでもよい。その他、本発明の趣旨を逸脱しない範囲内において種々の設計変更を行うことができるのは勿論である。
【符号の説明】
【００３５】
１…携帯式局部洗浄器セット
１０…携帯式局部洗浄器
１１…ノズル部
１１ａ…噴出孔
１２…本体部
１３…カバータンク（有底筒状部）
２０…局部洗浄液（機能式洗浄液）
２１…局部洗浄液用容器
３０…ノズル洗浄液（機能式洗浄液）
３１…ノズル洗浄液用容器
【図１】
0003186450.tif 000003
【図２】
0003186450.tif 000004
【図３】
0003186450.tif 000005
【図４】
0003186450.tif 000006
【図５】
0003186450.tif 000007
【図６】
0003186450.tif 000008
【図７】
0003186450.tif 000009
【図８】
0003186450.tif 000010